(57)【要約】【課題】  昇降棚付き収納庫を住宅の天井から吊り下げて取付ける際に、天井から下方に延びる吊り用ボルトと収納庫のケースの天井板の孔とを容易に係合させて取付け作業の負担を軽減し、収納庫を天井に取付けた状態で天井板の孔を塞ぐ昇降棚付き収納庫を提供する。【解決手段】  下方に延びる吊り用ボルト４０を天井５に取付け、電動昇降棚１１のケース１０の天井板２１には、吊り用ボルトの外径より大きい寸法の長孔４１を穿設し、天井板の下面側には、貫通孔４２が穿設され長孔を塞ぐことが可能な座金状のプレート４３を配置し、天井板の長孔とプレートの貫通孔とを挿通する吊り用ボルトの下部に袋ナット４４をねじ込んで、ケースを天井に取付けた。【選択図】    図２
2005198917.tif 000002
【特許請求の範囲】
【請求項１】
下方が開口したケースと、このケースに昇降動作可能に取付けられて収納引き出し可能な昇降棚とを備え、少なくとも住宅の天井から吊り下げてキッチンの上部に配置される昇降棚付き収納庫であって、
下方に延びる吊り用ボルトを前記天井に取付け、前記ケースの天井板には、前記吊り用ボルトの外径より大きい寸法の長孔を穿設し、前記天井板の下面側には、貫通孔が穿設され前記長孔を塞ぐことが可能な座金状のプレートを配置し、前記天井板の前記長孔と前記プレートの前記貫通孔とを挿通する前記吊り用ボルトの下部にナットをねじ込んで、前記ケースを前記天井に取付けたことを特徴とする昇降棚付き収納庫。
【請求項２】
請求項１に記載の昇降棚付き収納庫であって、
前記プレートは矩形の板材により形成され、前記貫通孔は、このプレートの中心位置からこのプレートの長手方向に偏心寸法だけ偏心した所定位置に穿設されていることを特徴とする昇降棚付き収納庫。
【請求項３】
請求項２に記載の昇降棚付き収納庫であって、
前記吊り用ボルトに対して前記天井板の前記長孔が相対的にどこに位置していても、前記プレートは、少なくとも前記長孔を常に塞ぐことができる幅寸法，長手方向寸法および前記偏心寸法を有していることを特徴とする昇降棚付き収納庫。
【請求項４】
請求項１，２または３に記載の昇降棚付き収納庫であって、前記天井板の複数の前記長孔は前後方向に長く延びて形成され、前記プレートもその長手方向を前後方向に向けて配置されていることを特徴とする昇降棚付き収納庫。
【発明の詳細な説明】
【技術分野】
【０００１】
本発明は、システムキッチン（複合厨房家具）などの上部に配置される昇降棚付き収納庫に関する。
【背景技術】
【０００２】
台所の上方空間を有効に活用するために、キッチン（たとえば、システムキッチン）の上部に吊り戸棚や収納庫を配置する場合がある。この吊り戸棚や収納庫は高い位置にあるので、台や椅子などを使って被収納物の出し入れをすることが多い。
そこで、被収納物の出し入れを容易にするために、電動または手動で昇降動作可能な昇降棚を吊り戸棚などに設け、この昇降棚を下方に引き出し可能にした昇降棚付き収納庫が知られている。
【０００３】
たとえば、特許文献１（特開２００３−３３２３３号公報）には、下方を開放した外キャビネット（ケース）内にスライド自在に内キャビネット（昇降棚）を設けた昇降式吊り戸棚（昇降棚付き収納庫）が提案されている。
この昇降式吊り戸棚では、外キャビネットが住宅の天井または壁面に固定されるようになっている。
【特許文献１】特開２００３−３３２３３号公報
【発明の開示】
【発明が解決しようとする課題】
【０００４】
上述の昇降式吊り戸棚などの昇降棚付き収納庫は、システムキッチンなどの上部に配置されるので、通常は台所の壁面にビスなどで直接固定される場合が多い。しかしながら、システムキッチンがいわゆる対面システムで固定用の壁面がない場合や、壁面固定の強度が不十分な場合には、昇降棚付き収納庫を天井から吊り下げて取付けることがある。
このような場合、通常は、外キャビネットなどケースの天井板に大きめの円形の孔を穿設しておく。そして、天井から下方に延びる吊り用ボルトをこの孔に差し込み、ケース内側からナットを吊り用ボルトの下部にねじ込んで、ケースを天井に固定する。
天井に取付ける吊り用ボルトは複数本あり、ケースの天井板の円形孔も吊り用ボルトと同数穿設されている。そのため、吊り用ボルトと天井板の円形孔との間に相対的な位置ずれがあると、吊り用ボルトを円形孔に挿入するのが困難であり、昇降棚付け収納庫を取付る作業の負担になっていた。
【０００５】
本発明は、このような課題を解決するためになされたもので、昇降棚付き収納庫を住宅の天井から吊り下げて取付ける際に、天井から下方に延びる吊り用ボルトと収納庫のケースの天井板の孔とを容易に係合させて取付け作業の負担を軽減することができ、また、収納庫を天井に取付けた状態で天井板の孔を塞ぐことができる昇降棚付き収納庫を提供することを目的とする。
【課題を解決するための手段】
【０００６】
上述の目的を達成するため、本発明にかかる昇降棚付き収納庫は、下方が開口したケースと、このケースに昇降動作可能に取付けられて収納引き出し可能な昇降棚とを備え、少なくとも住宅の天井から吊り下げてキッチンの上部に配置される昇降棚付き収納庫であって、下方に延びる吊り用ボルトを前記天井に取付け、前記ケースの天井板には、前記吊り用ボルトの外径より大きい寸法の長孔を穿設し、前記天井板の下面側には、貫通孔が穿設され前記長孔を塞ぐことが可能な座金状のプレートを配置し、前記天井板の前記長孔と前記プレートの前記貫通孔とを挿通する前記吊り用ボルトの下部にナットをねじ込んで、前記ケースを前記天井に取付けている。
前記プレートは矩形の板材により形成され、前記貫通孔は、このプレートの中心位置からこのプレートの長手方向に偏心寸法だけ偏心した所定位置に穿設されているのが好ましい。
好ましくは、前記吊り用ボルトに対して前記天井板の前記長孔が相対的にどこに位置していても、前記プレートは、少なくとも前記長孔を常に塞ぐことができる幅寸法，長手方向寸法および前記偏心寸法を有している。
通常、好ましくは、前記天井板の複数の前記長孔は前後方向に長く延びて形成され、前記プレートもその長手方向を前後方向に向けて配置されている。
【発明の効果】
【０００７】
本発明の昇降棚付き収納庫は、上述のように構成したので、収納庫を住宅の天井から吊り下げて取付ける際に、天井から下方に延びる吊り用ボルトと収納庫のケースの天井板の長孔とを容易に係合させて取付け作業の負担を軽減することができ、また、収納庫を天井に取付けた状態で天井板の長孔を塞ぐことができる。
【発明を実施するための最良の形態】
【０００８】
下記の実施例にかかる昇降棚付き収納庫では、収納庫のケースの天井板に、天井から下方に延びる吊り用ボルトの外径より大きい内径の長孔を穿設し、天井板の下面側には、貫通孔が穿設され長孔を塞ぐことが可能な座金状のプレートを配置している。これにより、吊り用ボルトと長孔を容易に係合させて取付け作業の負担を軽減することができ、また、収納庫を天井に取付けた状態で、プレートで天井板の長孔を塞ぐことができるという目的を実現している。
【実施例】
【０００９】
以下、本発明にかかる一実施例を、図１ないし図４を参照して説明する。
図１ないし図４は本発明の一実施例を示す図で、図１は、昇降棚付き収納庫とシステムキッチンの正面図、図２は、図１に示す昇降棚付き収納庫を住宅の天井に取付ける状態を示す斜視図、図３（Ａ），（Ｂ）は、前記昇降棚付き収納庫を天井に取付けた状態を示す部分断面図，図４は、図３（Ａ），（Ｂ）のIV−IV線平面断面図である。
なお、説明の便宜上、図１の左，右，上，下，紙面手前，紙面後方を、それぞれ昇降棚付き収納庫とシステムキッチンの左方，右方，上方，下方，前方，後方として説明する。
【００１０】
図１ないし図４に示す本実施例では、台所に設置されるキッチンの一種であるシステムキッチン（複合厨房家具）２の上部に、昇降棚付き収納庫（以下、収納庫と記載）１が配置された場合を例にとって説明する。
システムキッチン２は、床面３上に設置されたキャビネット４を有しており、キャビネット４には、複数の引き出し，コンロなどが設けられている。収納庫１は、システムキッチン２の上部に配置された吊り戸棚であり、台所の壁面と天井５の両方（または、天井５のみ）に取付けられている。
なお、収納庫１は、少なくとも住宅の天井（台所の天井５）から吊下げてキッチンの上部に配置されていればよいので、キッチンとしての流し台の上部に配置された場合であってもよい。また、キッチンがいわゆる対面システムなどの場合には、収納庫１は、台所と居間の境界部または居間に配置された場合であってもよい。
【００１１】
収納庫１は、下方が開口したケース１０と、昇降棚としての電動昇降棚１１とを備えている。電動昇降棚１１は、電動で昇降動作可能にケース１０に取付けられて収納引き出し可能である。本実施例では、昇降棚が電動昇降棚１１の場合を示しているが、手動で昇降させる手動式昇降棚であってもよい。
電動昇降棚１１の内部スペースには、被収納物を出し入れ可能に収納できる。被収納物の種類としては、調理中に頻繁に使用されるものたとえば、食器類，ふきん，まな板，箸類，お玉杓子，キッチンペーパー，小物類，食品類（粉物，パック類），お茶類，その他各種のものがある。
電動昇降棚１１は、左右に位置して縦方向に設けられた互いに平行な一対の側板１２と、側板１２の間にほぼ水平に取付けられた底板１３および天板１４と、側板１２，底板１３，天板１４に固定されて背面に配置された背板１５と、内部スペースを縦に仕切る縦仕切り板１６と、内部スペースを水平に仕切る横仕切り板１７とを有し、前方が開放された矩形状をなしている。
【００１２】
ケース１０は、矩形状に形成され下方が開口している。ケース１０は、左右に位置して縦方向に設けられた互いに平行な一対のケース側板２０と、ケース側板２０の上部にほぼ水平に取付けられた天井板２１と、ケース側板２０，天井板２１に固定されて背面に配置されたケース背板２２とを有している。
ケース１０の前面には前板２２が取付けられている。この前板２２は、電動昇降棚１１の昇降動作に連動して開閉するように揺動可能であり、電動昇降棚１１の上昇時にはケース１０の前面全体を閉じ、電動昇降棚１１の下降時にはケース１０の下方側を開くようになっている。
【００１３】
電動昇降棚１１の左右方向中央部の下部には、操作ハンドル２３が取付けられている。操作ハンドル２３は、電動昇降棚１１の下面手前側に位置して、電動昇降棚１１の前面より突出しないように設けられている。また、操作ハンドル２３は、比較的大型でコ字状をなしている。
操作ハンドル２３の前面には、収納庫１の電源をオン，オフするためのスイッチと、スイッチをオンしたときに点灯するランプと、照明スイッチと、電動昇降棚１１を昇降動作させるために操作する昇降操作ボタン２６などが設けられている。
【００１４】
操作ハンドル２３の昇降操作ボタン２６を操作すれば、昇降操作ボタン２６から出力される信号で昇降駆動部が駆動される。昇降駆動部は、モータ，モータにより往復移動可能なベルト２４，ベルトを案内するローラ２５などを有して、電動昇降棚１１を昇降させる。この昇降駆動部により、電動昇降棚１１が、矢印Ｂに示すように昇降してケース１０に対して収納引き出し可能になる。
このように昇降操作ボタン２６を操作すれば、電動昇降棚１１は昇降駆動部に駆動されて上昇動作と下降動作を行う。システムキッチン２での調理などの作業時に、電動昇降棚１１を容易に下方に引き出して、電動昇降棚１１に対して被収納物を出し入れすることができる。
【００１５】
収納庫１の前方表面は、平面視でシステムキッチン２の前方表面より後方に下がった位置に配置されている。電動昇降棚１１は、下方に引き出されるとシステムキッチン２のシンクの後方側に位置する。
したがって、ユーザーがシステムキッチン２で調理などの作業を行うとき、電動昇降棚１１を下方に引き出した状態で被収納物を容易に出し入れできて使い勝手がよく、また、電動昇降棚１１が下方に引き出されても、それほど調理などの作業の邪魔にはならない。
【００１６】
次に、収納庫１を台所の天井５に取付けるための取付け構造について説明する。
下方に延びる吊り用ボルト４０が天井５に取付けられ、ケース１０の天井板２１には、吊り用ボルト４０の外径より大きい寸法の長孔４１が穿設されている。
天井板２１の下面側には、座金状の（すなわち、座金の機能を有する）プレート４３が配置されている。プレート４３は、貫通孔４２が穿設され、長孔４１を塞ぐことが可能である。
そして、天井板２１の長孔４１とプレート４３の貫通孔４２とを挿通する吊り用ボルト４０の下部に、ナットとしての袋ナット４４をねじ込んで、ケース１０を天井５に取付けている。
【００１７】
収納庫１を天井５から吊り下げて取付けるには、複数本（たとえば、４本，６本，８本）の吊り用ボルト４０を使用し、天井板２１にも吊り用ボルト４０と同数の孔を穿設する必要がある。
本実施例では、天井板２１に形成するこの孔を長孔４１とし、この長孔４１は、吊り用ボルト４０の外径より大きい寸法を有している。したがって、収納庫１を前後方向と左右方向の両方向に容易に位置調整して、吊り用ボルト４０と長孔４１を容易に係合させることができ、取付け作業の負担が軽減される。
また、プレート４３を使用したので、収納庫１を天井５に取付けた状態で、天井板２１の長孔４１はプレート４３で塞がれる。
【００１８】
天井５が、図２，図３（Ａ）に示すように、木製等の板材４５と、この板材４５の下面に取付けられた化粧板４６とにより構成されている場合、吊り用ボルト４０は、長ねじの上部にナットをねじ込んだ構成のボルトまたは頭付きのボルトを使用している。この場合は、化粧板４６の下面に天井板２１が接触し、天井板２１の下面側にプレート４３と袋ナット４４が配置される。
この変形例として、鉄筋コンクリート製の住宅では、図３（Ｂ）に示すように、台所の天井（住宅の天井）５ａが、コンクリート４５ａと、このコンクリート４５ａの下面に取付けられた化粧板４６とにより構成されている。
この場合には、アンカー４７をコンクリート４５ａに打ち込み、このアンカー４７に吊り用ボルト４０ａをねじ込むことにより、吊り用ボルト４０ａが天井５ａから下方に延びることになる。この場合も、化粧板４６の下面に天井板２１が接触し、天井板２１の下面側にプレート４３と袋ナット４４が配置される。
【００１９】
本実施例と前記変形例において、複数本（ここでは、４本）の吊り用ボルト４０（または、吊り用ボルト４０ａ）は、収納庫１を均等に吊り下げて支持するために、天井板２１の四角の近傍と、必要な場合にはその他の所定の位置にも配置されている。
天井板２１に複数（ここでは、四つ）穿設された長孔４１は、前後方向に長く延びた所定形状を有している。収納庫１を天井５（または、天井５ａ）と壁面の両方に取付けるとき、天井５，５ａから下方に延びる吊り用ボルト４０，４０ａの位置に対して、収納庫１の位置が前後方向に相対的に位置ずれする場合が多い。このような場合でも、長孔４１が前後方向に長く延びているので、吊り用ボルト４０，４０ａを長孔４１に容易に挿入することができる。
なお、収納庫１を天井５，５ａのみから吊り下げて取付けるとき、吊り用ボルト４０，４０ａの位置に対して収納庫１の位置が左右方向に相対的に位置ずれする場合には、長孔４１を左右方向に延びた形状にしてもよい。
【００２０】
プレート４３は、収納庫１の自重の一部（または、全部）による荷重を天井板２１から受けて、袋ナット４４を介して吊り用ボルト４０，４０ａに伝達する機能を有している。このプレート４３も、その長手方向を前後方向に向けて配置されているので、プレート４３で長孔４１を容易に塞ぐことができる。
プレート４３の取付け位置の近くには、昇降駆動部のベルト２４やその他の部品類が配置されているので、長孔４１を塞ぐことができれば、なるべくコンパクトな方が好ましい。そこで、本実施例のプレート４３は、小さな座金のように、幅寸法Ｗで長手方向寸法Ｌのコンパクトな矩形の板材により形成されている。なお、プレート４３は、矩形以外の任意の形状であってもよい。
【００２１】
貫通孔４２は、プレート４３の中心位置Ｏ1からプレート４３の長手方向に偏心寸法Ｅだけ偏心した所定位置に穿設されている。貫通孔４２は、幅方向（長手方向に直交する方向）に関しては、その中央部に位置している。
このようにプレート４３の貫通孔４２を偏心させたので、吊り用ボルト４０，４０ａと長孔４１の相対的な位置ずれの許容範囲が大きくなる。たとえば、図４（Ａ）に示すように、貫通孔４２が相対的に後方側に位置するようにプレート４３を配置する場合と、このプレート４３を水平面内で前後方向に反転して、図４（Ｂ）に示すように、貫通孔４２が相対的に前方側に位置するようにプレート４３を配置する場合があるが、いずれの場合も、プレート４３で長孔４１の全体を塞ぐことができる。
【００２２】
図４（Ｃ），（Ｄ），（Ｅ）は、長孔４１に対して吊り用ボルト４０，４０ａが左右方向の中心に位置している場合、左方向に位置ずれしている場合、右方向に位置ずれしている場合をそれぞれ示しており、いずれの場合もプレート４３で長孔４１の全体を塞いでいる。
このように、吊り用ボルト４０，４０ａに対して、天井板２１の長孔４１が相対的にどこに位置していても、プレート４３は、少なくとも長孔４１を常に塞ぐことができる幅寸法Ｗ，長手方向寸法Ｌおよび偏心寸法Ｅを有している。
これにより、収納庫１を天井５，５ａに取付けた状態で天井板２１の長孔（孔）４１が塞がれるので、天井板２１上の塵や異物が収納庫１内に入る恐れがない。また、外観上も好ましく、且つプレート４３の平面視形状を最小限にして、昇降駆動部の部品類との干渉を防ぐことができる。
【００２３】
収納庫１を台所の天井５，５ａから吊り下げて取付ける作業では、複数本（ここでは、４本）の吊り用ボルト４０，４０ａを、予め天井５，５ａから下方に延びた状態で取付けておく。
次に、収納庫１を持ち上げ、ケース１０の天井板２１に穿設された複数（ここでは、四つ）の長孔４１を、吊り用ボルト４０，４０ａに係合させる。このとき、天井板２１に形成された孔は長孔４１なので、これと相対的に収納庫１が前後方向に位置ずれした場合や、左右方向に若干位置ずれしていても、吊り用ボルト４０，４０ａを長孔４１に容易に挿入することができる。
この状態では、吊り用ボルト４０，４０ａが長孔４１を挿通し、その下部がケース１０の内方に突出している。
【００２４】
次に、吊り用ボルト４０，４０ａにプレート４３の貫通孔４２を挿通させる。長孔４１は前後方向に長いので、プレート４３もその長手方向を前後方向に向けて位置決めする。この状態で、プレート４３が長孔４１の全体を塞げばそのままでよいが、長孔４１の一部分が露出する場合には、プレート４３を水平面内で１８０度反転させる。これにより、長孔４１の全体が、プレート４３で塞がれることになる（図４（Ａ），（Ｂ）参照）。
吊り用ボルト４０，４０ａをプレート４３の貫通孔４２に挿通させた状態で、袋ナット４４を、吊り用ボルト４０，４０ａの下部にねじ込んで強く締め付ける。これにより、収納庫１は、天井５，５ａから吊り下げた状態で固定される。
【００２５】
以上、本発明の実施例（変形例を含む）を説明したが、本発明は上述の実施例に限定されるものではなく、本発明の要旨の範囲で種々の変形，付加などが可能である。
なお、各図中同一符号は同一または相当部分を示す。
【産業上の利用可能性】
【００２６】
本発明は、電動で昇降可能な電動昇降棚を有し、システムキッチンなどの上部に配置される昇降棚付き収納庫に適用可能である。
【図面の簡単な説明】
【００２７】
【図１】図１ないし図４は本発明の一実施例を示す図で、図１は、昇降棚付き収納庫とシステムキッチンの正面図である。
【図２】図１に示す昇降棚付き収納庫を住宅の天井に取付ける状態を示す斜視図である。
【図３】図３（Ａ），（Ｂ）は、それぞれ前記昇降棚付き収納庫を天井に取付けた状態を示す部分断面図である。
【図４】図３（Ａ），（Ｂ）のIV−IV線平面断面図である。
【符号の説明】
【００２８】
１        昇降棚付き収納庫
２        システムキッチン（キッチン）
５，５ａ  台所の天井(住宅の天井）
１０      ケース
１１      電動昇降棚(昇降棚）
２１      天井板
４０，４０ａ  吊り用ボルト
４１      長孔
４２      貫通孔
４３      プレート
４４      袋ナット(ナット）
Ｅ        偏心寸法
Ｌ        長手方向寸法
Ｏ1       プレートの中心位置
Ｗ        幅寸法
【図１】
2005198917.tif 000003
【図２】
2005198917.tif 000004
【図３】
2005198917.tif 000005
【図４】
2005198917.tif 000006